(57)【要約】 【課題】  開閉体を全閉する際に引戸の引手が邪魔にならない反面、開閉体を開いて引戸を開ける際には、引手を手前側に引き出し、かつ、該引手を用いて引戸を開けることができること。【解決手段】  引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体の基端部は、前記収納部側の固定支軸に軸支されていると共に、該固定支軸の近傍に設けられ固定障害子に係止される係合長孔を有し、また引手本体は、前記収納部に垂直状態に収納されている初期位置並びに自由端部側から回転して前記固定障害子に係止された傾倒位置に於いて、該引手本体に内蔵され、かつ、前記固定障害子に圧接する補助的な付勢手段により保持されていること。【選択図】  図４
2006077480.tif 000002
【特許請求の範囲】
【請求項１】
開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体の基端部は、前記収納部側の固定支軸に軸支されていると共に、該固定支軸の近傍に設けられ固定障害子に係止される係合長孔を有し、また引手本体は、前記収納部に垂直状態に収納されている初期位置並びに自由端部側から回転して前記固定障害子に係止された傾倒位置に於いて、該引手本体に設けられ、かつ、前記固定障害子に圧接する補助的な付勢手段により保持されていることを特徴とする引戸用引手。
【請求項２】
請求項１に於いて、引手本体の基端部と収納部の内壁面との空間部分に引手本体用補助ロック機構を構成するロック片と該ロック片を付勢するバネ部材とを組込み、前記ロック片は、引手本体が引き出された傾倒位置の所で、引手本体が初期位置方向へ回転しないように前記バネ部材に付勢されて前記基端部の係合部に係合することを特徴とする引戸用引手。
【請求項３】
請求項１に於いて、引手本体は、基端部が固定軸に軸支された支持アームと、該支持アームの他端部に可動軸を介して軸支されたグリップアームとで構成され、引手本体を手前側に引き出した場合に於いて、引手本体のグリップアームは、さらに鉛直方向へと所定の停止位置まで回転可能であることを特徴とする引戸用引手。
【請求項４】
請求項１に於いて、引手本体の支持アーム及びグリップアームの枢着部分には、グリップアームが支持アームに対して単独で回転した時に、該グリップアームを所定の角度範囲内で停止させる係止手段が設けられていることを特徴とする引戸用引手。
【請求項５】
請求項４於いて、グリップアームが略鉛直状態に成った時、支持アームに内蔵された作動ピン、付勢バネを含む補助的な付勢手段により保持されることを特徴とする引戸用引手。
【発明の詳細な説明】
【技術分野】
【０００１】
本発明は、建物の出入り口に配置された引戸用の引手に関し、例えば室内側から内側引戸を開ける人を基準としてその手前側に開閉体が配置される引戸（内側引戸，外側引戸など）の戸先側の壁面に取付けられる引戸用引手に関する。
【背景技術】
【０００２】
この種の引戸用の引手の一例として特許文献１が存在する。この特許文献１の図５乃至図７には、引き違い引戸の戸先側（閉じ側）の縦框内に把手を回転して収納する構成が開示されている。この特許文献１に記載の発明の目的は、引戸を全開する場合に於いて、引戸の引き違い面側に突出している前記引手が邪魔にならないように前記縦框の内部空間に把手を回転収納することを目的とする点で、本願発明の主たる目的（開閉体を全閉する際に引戸の引手本体が邪魔にならないと共に、必要な時にだけ引手本体を引き出して使用すること。）と相違する。また、把手の構造的についても、本願発明の引手本体とは、取付け箇所、作動態様、形態等が相違する。
【特許文献１】特開２００１−２１４６４４号公報
【発明の開示】
【発明が解決しようとする課題】
【０００３】
本発明の第１の目的は、開閉体を全閉する際に引戸の引手本体が邪魔にならない反面、開閉体を開いて引戸を開ける際には、引手本体を手前側に引き出して引戸を開けることができる引戸用引手を提案すること。第２の目的は、引手本体が収納部に垂直状態に収納されている初期位置に於いて、引戸等の振動により収納部の外方向に容易に回転しないようにする反面、引手本体を手前側に引き出した傾倒位置時に於いても、操作性を向上させるために戻り方向へ簡単に回転しないようにすること。第３の目的は、収納部の空間を有効利用することができるように引手本体用補助ロック機構を設けること。第４の目的は、引手本体を引き出した傾倒位置時、引手本体を操作した場合に於いて、引手本体が戻り方向へ回転するのを確実に防止すること。第５の目的は、引手本体のグリップアームを所定の角度（望ましくは、グリップアームが傾斜状の支持アームに対して略鉛直状態に折り曲がる所）まで折り曲げ回転させた上で、該グリップアームを用いてそのまま引戸を開けることができること。第６の目的は、支持アームに対してグリップアームを鉛直方向へ折り曲げた時、引手本体が取付け座側に回転せず、これにより引戸を開く際における引手本体の操作性を向上させることである。
【課題を解決するための手段】
【０００４】
本発明の引戸用引手は、開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体の基端部は、前記収納部側の固定支軸に軸支されていると共に、該固定支軸の近傍に設けられ固定障害子に係止される係合長孔を有し、また引手本体は、前記収納部に垂直状態に収納されている初期位置並びに自由端部側から回転して前記固定障害子に係止された傾倒位置に於いて、該引手本体に内蔵され、かつ、前記固定障害子に圧接する補助的な付勢手段により保持されていることを特徴とする。
【０００５】
上記構成に於いて、引手本体は、基端部が固定軸に軸支された支持アームと、該支持アームの他端部に可動軸を介して軸支されたグリップアームとで構成され、引手本体を手前側に引き出した場合に於いて、引手本体のグリップアームは、鉛直方向へと所定の停止位置まで回転可能であることを特徴とする。
【０００６】
また、引手本体の基端部と収納部の内壁面との空間部分に引手本体用補助ロック機構を構成するロック片と該ロック片を付勢するバネ部材とを組込み、前記ロック片は、引手本体が引き出された傾倒位置の所で、引手本体が初期位置方向へ回転しないように前記バネ部材に付勢されて前記基端部の係合部に係合することを特徴とする。
【０００７】
さらに、引手本体の支持アーム及びグリップアームの枢着部分には、グリップアームが支持アームに対して単独で回転した時に、該グリップアームを所定の角度範囲内で停止させる係止手段が設けられている。加えて、グリップアームが略鉛直状態に成った時、補助的な付勢手段により保持されることを特徴とする。ここで「開閉体」とは、網戸、シャッターなどをいう。
【発明の効果】
【０００８】
（１）請求項１に記載の発明は、例えば室内側から内側の引戸を開ける人を基準としてその手前側に網戸、シャッターなどの開閉体が配置される引戸用引手に於いて、開閉体を全閉する際に引手本体が邪魔にならない反面、開閉体を開いて引戸を開ける際には、引手本体を手前側に引き出して引戸を開けることができる。
（２）また、請求項１に記載の発明は、引手本体が収納部に垂直状態に収納されている初期位置に於いて、引戸等の振動により収納部の外方向に容易に回転しない反面、引手本体を手前側に引き出した傾倒位置時に於いても、戻り方向へ簡単に回転しない。したがって、開閉体に対する障害とならないと共に、操作性を向上させることができる。
（３）請求項２に記載の発明は、引手本体用補助ロック機構を収納部の空間を有効利用して組み込むことができると共に、該引手本体用補助ロック機構により、引手本体を引き出した傾倒位置時、引手本体を操作した場合に於いて、引手本体が戻り方向へ回転するのを確実に防止することができる。
（４）請求項３に記載の発明は、引手本体を手前側に引き出した場合に於いて、引手本体の支持アームに対してグリップアームを鉛直方向へと折り曲げた状態で引手本体を操作することができる。したがって、操作時に引手本体が邪魔にならない。
（５）請求項４に記載の発明は、引手本体を手前側に引き出した場合に於いて、支持アームに対してグリップアームを鉛直方向へと折り曲げるように所定量回転した時、該グリップアームを所定の位置に止めるだけではなく、さらに、グリップアームの戻り方向への回転も阻止するので、引戸の開閉時における引手本体の操作性がより一層向上する。
【発明を実施するための最良の形態】
【０００９】
以下、図１乃至図１２に示す本発明を実施するための最良の形態により説明する。
【００１０】
（１）内側取付け座…固定部材
１は引手の外観形状を有する内側の取付け座で、この取付け座１は、引戸ａの戸先側（閉じ側）の縦框に固定的に取付けられる。本実施例では、内側取付け座１は引戸ａの戸先側の内部ｃに略嵌り込むように固定されている（図１０参照）。なお、取付け座１は縦框以外の戸先側（閉じ側）の内部に固定しても良い。
【００１１】
しかして、２は取付け座１の縦長の長板状部分で、この長板状部分２の上下の端部には、図示しない固着具用の小貫通孔４，４がそれぞれ形成されている。５は取付け座１の縦長ケース状引手本体用収納部で、この引手本体用収納部５は、図４で示すように断面横向き凹所状に形成されている。この断面横向き凹所を形成する取付け座１の開口６の大きさや幅は、引手本体１１の形態との関係を考慮し、例えば内側引手１１を構成するグリップアーム１１ｂの細幅部分に指を引っ掛けて（本実施例）、或いは括れ状の部分を摘んで引手本体用収納部５から所定量引き出すことができるように適宜に形成されている。
【００１２】
本実施例では、開口６は、図１で示すように、長板状部分２の上端部から下端部に至るまで形成され、一方、内側引手（引手本体）１１は、取付け座１側の下方の固定軸９に軸支された支持アーム１１ａの基端部（図面では下端部）側からグリップアーム１１ｂの細幅の端部（図面では上端部）に至るまで真っ直ぐに延伸し、該グリップアーム１１ｂの端部は、収納部５の凹所内壁の上方傾斜状内壁面７ａ付近に至っている。
【００１３】
ところで、取付け座１の引手本体用収納部５の下端部には、対向壁或いは断面コ字型状の軸受け部分８が設けられている。この軸受け部分８は、図示しない複数個の固着具を介して収納部５に適宜に固定される。そして、該軸受け部分８には、前述した引手本体１１の支持アーム１１ａの基端部を軸支する固定軸（横軸）９が横設軸架されていると共に、該固定軸（横軸）９の近傍（図面では上方）に引手本体の基端部（本実施例では、支持アーム１１ａの基端部）にやや弧状に形成された係合長孔１３に係合する固定障害子（横棒）１０が横設されている。固定障害子（横棒）１０は前記係合長孔１３の左右の弧状内面と係合して支持アーム１１ａの回転に対するストッパー機能の役割を果たす。
【００１４】
取付け座１は、引戸ａの内壁面ｂから縦框内部ｃに略嵌り込んでいる（図１０）。好ましくは、引手本体用収納部５は、縦框の内部ｃに完全に入り込み、フランジ状の長板状部分２は、引戸ａの内壁面と略面一状態（発明の目的を達成する限りに於いて、多少突出する場合も含む。）となる。
【００１５】
（２）内側引手…可動部材
１１は片手で握ることができる大きさの内側の引手本体で、この引手本体１１は全体として縦長状に形成されている。本実施例では、引手本体１１は、下方の基端部が収納部５側の固定軸９に軸支された支持アーム１１ａと、該支持アームの他端部（枢着部分）に可動軸１８を介して軸支されたグリップアーム１１ｂとで構成されている。
【００１６】
ところで、引手本体１１の形態については、取付け座１の引手本体用収納部５に収納することができるように、アームの本数、その長さ、大きさ、形状、肉厚、内部構造等が適宜に設定されている。もちろん、引手本体１１は、縦長状の「１本のアーム」に形成しても良いし、本実施例のように折り曲げ可能な「２本のアーム」で構成しても良い。また、外側引手であっても良い。引手本体１１は、取付け座１と少なくとも略面一（発明の目的を達成する限りに於いて、多少突出する場合も含む。）になるように前記引手本体用収納部５に出し入れ自在に収納されている。
【００１７】
本実施例の引手本体１１は、引手本体用収納部５に収納されている時は、鉛直（垂直）状態であり、一方、図７で示すようにグリップアーム１１ｂを介して手前側に傾斜状態に引き出した場合には、さらに、グリップアーム１１ｂを支持アーム１１ａに対して鉛直方向へと所定位置まで折り曲げるように回転可能である。
【００１８】
（３）引手本体１１の具体的構成
ここで、図４，図５を参照にして引手本体１１の構成を説明する。まず、引手本体１１は、アール状の基端部（図では下端部）から門型状の枢着部分（図では上端部）まで幅広に形成された杆状支持アーム１１ａを有している。しかして、基端部の一番下位には、固定軸９用の軸孔１２が横方向に形成され、この軸孔１２の直ぐ上方近傍に固定障害子１０用のやや弧状係合長孔１３が横方向に形成されている。
【００１９】
また支持アーム１１ａには、該係合長孔１３に対して鉛直方向に連通する垂直案内長孔１４が形成されている。この垂直案内長孔１４は、後述する補助的な付勢手段２１が内蔵される。
【００２０】
また、支持アーム１１ａの他端部は門型状に形成され、前記垂直案内長孔１４の上部側と連通する嵌合切欠部分１５を有している。また、門型状の対向端部には、嵌合切欠部分１５と連通し、かつ、グリップアーム１１ｂの枢着部分（図では下端部）を軸支する可動軸（横軸）１８用の軸孔１６，１６が形成されている。
【００２１】
次に、引手本体１１は支持アーム１１ａの他端部に可動軸１８を介して軸支されたグリップアーム１１ｂを有している。しかして、下向き弧状面を有する枢着部分（図では下端部）の中央部分には、支持アーム１１ａの前述した嵌合切欠部分１６に入り込む円盤状の軸貫通部分３１が突設されている。
【００２２】
軸貫通部分３１は可動軸１８用の軸孔３２を有している。したがって、グリップアーム１１ｂは軸孔１６，３２，１６を貫通する可動軸１８を介して支持アーム１１ａに回動自在に連結されている。
【００２３】
（４）引手本体１１の係止手段１７
本実施例の引手本体１１は、例えばグリップアーム１１ｂを鉛直（垂直）状態に折り曲げ回転した時には、支持アーム１１ａ及びグリップアーム１１ｂの枢着部分に形成した係止手段１７により停止させることができる。係止手段１７は、例えば図５，図９に示すように、支持アーム１１ａの枢着部分の嵌合切欠部分１５側の一側内面に略扇形状に切り欠かれた複数個の被係合部（切欠受け止め面）１７ａ，１７ｂと、一方、グリップアーム１１ｂの枢着部分である円盤状軸貫通部分３１の内壁面に小扇形状に突設された小係合部１７ｃとから成り、グリップアーム１１ｂが支持アーム１１ａに対して単独で回転した時に、該グリップアーム１１ｂを所定の角度範囲内で停止させる（図９）。
【００２４】
（５）引手本体１１の補助的な付勢手段２１
また本実施例の引手本体１１は、補助的な付勢手段２１を有している。補助的付勢手段２１は、支持アーム１１ａの垂直案内長孔１４に内蔵され、かつ、固定障害子１０に圧接して引手本体１１が収納部５に垂直状態に収納されている初期位置に於いて、引戸等の振動により収納部５の外方向に容易に回転しないように保持する反面、引手本体１１を手前側に引き出した傾倒位置時に於いても、戻り方向へ簡単に回転しないにように保持する機能を有している（図７，図８）。したがって、引手本体１１の操作性を向上させることができる。
【００２５】
しかして、補助的付勢手段２１は、突出端部が円錐形の複数個の作動ピン２２，２３と、これらの作動ピン２２，２３の間に介在し、かつ、これらの作動ピン２２，２３を常時突出方向に付勢する付勢バネ２４とから成る。図７又は図８で示すように、前記下方の作動ピン２２の突出端部は、引手本体１１が収納部５に垂直状態に収納されている初期位置では右側に位置する固定障害子１０の外壁面に圧接し、一方、引手本体１１を手前側に引き出した傾倒位置時では左側に位置する固定障害子１０の外壁面に圧接する。
【００２６】
本実施例の固定障害子１０は、引手本体１１が前後方向に所定量回転した時に、支持アーム１１ａの係合長孔１３の左右の弧状内面のいずれかに当たるから、付勢バネ２４のバネ力が強ければ強いほど作動ピン２２が固定障害子１０に強く圧接し、その結果、引手本体１１は収納部５から外方向へ、又は引き出した傾倒位置の所から収納部５方向へ容易に回転しない。
【００２７】
ここで、本発明に直接関係はないが、クリック機構についても付言する。本実施例の補助的付勢手段２１を構成する前記上方の作動ピン２３の突出端部は、図８で示すように、グリップアーム１１ｂの円盤状軸貫通部分３１の外周面に離間して形成された複数個のクリック用小係合溝１９，１９に選択的に係合可能である。
【００２８】
したがって、引手本体１１が「１本のアーム」に形成されている場合はもちろんのこと、本実施例のように折り曲げ可能な「２本のアーム」で構成されている実施例の場合であっても、引手本体１１を所定位置（傾倒位置、初期位置）に回転した場合ないし引手本体１１のグリップアーム１１ｂが支持アーム１１ａに対して略鉛直状態に成った場合（図８の右図）に補助的な付勢手段２１により保持される。
【００２９】
後者の場合には、前述した係止手段１７を介して鈍角状態に形態が保持されるのみならず、補助的付勢手段２１の保持機能も作用する。なお、グリップアーム１１ｂは、その一端部側も含めて細幅部分となっている（図１）。
【００３０】
（６）引手本体用補助ロック機構３５
さらに、本実施例の引手本体１１は、引手本体用補助ロック機構３５を備えている。補助ロック機構３５は、引手本体１１の基端部と収納部５の下方内壁面７ｂとの空間部分に組み込まれている。しかして、補助ロック機構３５は、取付け座１側の軸受け部分８に横設軸架された横軸３６に内端部側が軸支されたロック片３７と、前記横軸３６に中央部が巻装されたロック片用バネ部材３８とから成り、前記ロック片３７は、引手本体１１が引き出された傾倒位置の所（図７の右図）で、引手本体１１が初期位置方向へ回転しないように前記バネ部材３８に付勢されてグリップアーム１１ｂの基端部に突出形成された係合部（係合爪片）２０に係合する。
【００３１】
本実施例の補助ロック機構３５のロック片３７は、図７の中間図で示すように、グリップアーム１１ｂが固定軸９を支点にして矢印で示す外方向に所定量回転し、かつ、所定の傾倒位置にて固定障害子１０に係止されると、バネ部材３８のバネ力により自動的にロック片３７のケース状外端部３９の上壁に設けられた被係合部分（係合板、係合溝、切欠、突起など）４０に係合する。したがって、引手本体１１を初期位置へと戻したい場合には、ロック片３７の外端部３９の上壁を指で押し下げ、前記係合状態を解消させる必要がある。
【００３２】
（７）作用
上記構成に於いて、ロック機構３５は、本発明の第１の目的との関係では、本質的要件ではない。本発明のロック機構３５は、望ましくは、引手本体１１を手前側に引き出した場合に於いて、さらに、グリップアーム１１ｂを支持アーム１１ａに対して鉛直方向へと所定位置まで回転し、かつ、グリップアーム１１ｂを用いて引戸を開く場合に該グリップアーム１１ｂが戻りの方向へ回転しないようにロックしたい場合に用いられる。
【００３３】
もちろん、手本体１１を手前側に引き出した場合に於いて、引手本体１１が「ストレート」の傾斜状態のままであっても、引戸ａを開くために引手本体１１をそのまま用いることは可能である。
【００３４】
しかしながら、引手本体１１が収納部５から傾斜状態に出たままでグリップアーム１１ｂを握って力を入れた場合、グリップアーム１１ｂが操作する人の方に突出していることから、経験則上、グリップアーム１１ｂが邪魔に成って操作し難い。また、グリップアーム１１ｂが前後方向に動く場合にも操作し難いものである。
【００３５】
そこで、図７で示すようにグリップアーム１１ｂが所定量回転して固定障害子１０に係止された所で、第１次的には、引手本体１１に内蔵された補助的な付勢手段２１により、また実施例如何によっては、第２次的に「ロック機構３５」の構成をさらに本発明の構成要件に限定し、自動的にロック片３７をその基端部に係合させる。ロック機構３５を本発明の限定要件とした場合には、グリップアーム１１ｂが収納部５側に確実に戻らないようにすることができる。
【００３６】
また、本実施例の引手本体１１は、基端部が固定軸９に軸支された支持アーム１１ａと、該支持アームの他端部に可動軸１８を介して軸支されたグリップアーム１１ｂとで構成されているが、このような実施例に於いて、例えば引手本体１１を手前側に引き出し、かつ、図９の右図で示すようにグリップアーム１１ｂを支持アーム１１ａに対して垂直方向へと回転した時に、両アーム１１ａ，１１ｂの枢着部分に形成された係止手段１７は、グリップアーム１１ｂを所定の角度の所（グリップアーム１１ｂが略鉛直状態の所）で停止させる。
【００３７】
なお、引手本体１１を収納部５に戻す時は、グリップアーム１１ｂを手前側に引いて傾倒位置にし、その後にロック片３７を指でバネ部材３８のバネ力に抗して押し下げてロックを解消し、引手本体１１を収納部５に押し込む。この時、付勢手段２１の作動ピン２２は固定障害子１０を乗り越える。
【００３８】
（８）環境状態の使用例
例えば図１，図４は、引手本体１１が取付け座１の収納部５に完全に収納されている状態を示し、一方、例えば図２は、引手本体１１を、グリップアーム１１ｂを介して片手で引き出し、かつ、鉛直状態まで折り曲げた状態を示す。
【００３９】
本発明の実施例では、引手本体１１を利用しない場合には、引手本体用収納部５の凹所内に引手本体１１を略面一状に収めておく反面、必要な時は、引手本体１１を収納部５から引き出して利用する。そこで、図１０乃至図１２も参照にして環境状態の使用例を説明する。
【００４０】
図１０は、建物の出入り口のサッシ型戸枠４１内に配置された引き違い戸４２の内側引戸ａの手前側（ここでは「室内４３」側を意味する。）に開閉体４４が開閉自在に配置されている場合に於いて、前記内側の引戸ａの戸先側（閉じ側）に本発明の引戸用引手Ｘを装着した一例を示している。この場合引手本体１１は取付け座１の収納部５に略収納されているので、邪魔にならない。
【００４１】
一方、図１１は、開閉体４４を矢印Ｂ方向に移動させ、その後に引手本体１１を、グリップアーム１１ｂを介して手前側に引き出し、かつ、グリップアーム１１ｂを鉛直方向へ折り曲げ回転し、所定の角度にてグリップアーム１１ｂが付勢手段２１，補助ロック機構等により係止されたロックした状態を示す。この場合、室内側に操作する人がいて、室内側から開閉体４４を矢印Ｂ方向に開いたことを前提としている。
【００４２】
したがって、開閉体４４は引戸ａの手前側に位置している。引戸ａを開ける時は、望ましくは引手本体１１が、例えば図２の状態であり、グリップアーム１１ｂを握って引戸ａを開ける。図１２は引き出した引手本体１１をそのまま利用して引戸ａを所望量開いた場合の概略説明図である。
【実施例】
【００４３】
本発明の本質的構成は、開閉体が全閉することができるように「取付け座」を引戸ａの戸先側の内部ｃに略嵌り込むように固定すると共に、「引手本体」を取付け座の引手本体用収納部に、該取付け座と少なくとも略面一になるように出し入れ自在に収納できることであると共に、引手本体が収納部に垂直状態に収納されている初期位置に於いて、引戸等の振動により収納部の外方向に容易に回転しないようにすること、及び引手本体を手前側に引き出した傾倒位置時に於いても、戻り方向へ簡単に回転しないようにすることである。したがって、その余の新規な構成（従属項）は、限定要件として予備されている。
【産業上の利用可能性】
【００４４】
本発明は、主に建具の業界で利用される。
【図面の簡単な説明】
【００４５】
図１乃至図１２は本発明の最良の実施例を示す各説明図。
【図１】正面視からの説明図。
【図２】引手本体を引き出し状態の概略説明図（さらに、引手本体を折り曲げた状態も含む）。
【図３】図１を基準とした主要部の内部構造を示す概略断面図。
【図４】収納状態を基準とした主要部の内部構造を示す概略断面図。
【図５】要部（引手本体の構造、補助的な付勢手段、補助ロック機構の構成部材等）の斜視からの説明図。
【図６】要部（引手本体，補助的な付勢手段等）の説明図。
【図７】引手本体と補助的な付勢手段、補助ロック機構等との関係を示す説明図。
【図８】引手本体の構造、引手本体と補助的な付勢手段、補助ロック機構等との関係を示す説明図。
【図９】引手本体の要部（係止手段）の説明図。
【図１０】引き違い戸の使用例に於いて、開閉体を全閉した場合の概略説明図。
【図１１】図１０の状態に於いて、開閉体を開き、引手本体を手前側に引き出し、そのグリップアームを所定の角度まで回転させた場合の概略説明図。
【図１２】図１１の状態に於いて、引手本体を利用して引戸を開いた場合の概略説明図。
【符号の説明】
【００４６】
Ｘ…引戸用引手、ａ…引戸、1…取付け座、２…長板状部分、４…小貫通孔、５…引手本体用収納部、６…開口、８…軸受け部分、７ｂ…内壁面、９…固定軸、１０…固定障害子、１１…引手本体、１１ａ…支持アーム、１１ｂ…グリップアーム、１２，１６，３２…軸孔、１３…係合長孔、１４…垂直案内長孔、１５…嵌合切欠部分、１６…、１６ａ，１６ｂ…グリップアームの内壁面、１７…係止手段、１８…可動軸、１９…小係合溝、２０…係合部、２１…補助的な付勢手段、２２，２３…作動ピン、２４…付勢バネ、３１…軸貫通部分、３５…補助ロック機構、３６…横軸、３７…ロック片、３８…バネ部材、４０…被係合部分、４２…引き違い戸、４３…室内、４４…開閉体。
【図１】
2006077480.tif 000003
【図２】
2006077480.tif 000004
【図３】
2006077480.tif 000005
【図４】
2006077480.tif 000006
【図５】
2006077480.tif 000007
【図６】
2006077480.tif 000008
【図７】
2006077480.tif 000009
【図８】
2006077480.tif 000010
【図９】
2006077480.tif 000011
【図１０】
2006077480.tif 000012
【図１１】
2006077480.tif 000013
【図１２】
2006077480.tif 000014
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体の基端部は、前記収納部側の固定支軸に軸支されていると共に、該固定支軸の近傍に設けられ固定障害子に係止される係合長孔を有し、また引手本体は、前記収納部に垂直状態に収納されている初期位置並びに自由端部側から回転して前記固定障害子に係止された傾倒位置に於いて、該引手本体に設けられ、かつ、前記固定障害子に圧接する補助的な付勢手段により保持されていることを特徴とする引戸用引手。
【請求項２】
請求項１に於いて、引手本体の基端部と収納部の内壁面との空間部分に引手本体用補助ロック機構を構成するロック片と該ロック片を付勢するバネ部材とを組込み、前記ロック片は、引手本体が引き出された傾倒位置の所で、引手本体が初期位置方向へ回転しないように前記バネ部材に付勢されて前記基端部の係合部に係合することを特徴とする引戸用引手。
【請求項３】
請求項１に於いて、引手本体は、基端部が固定軸に軸支された支持アームと、該支持アームの他端部に可動軸を介して軸支されたグリップアームとで構成され、引手本体を手前側に引き出した場合に於いて、引手本体のグリップアームは、さらに鉛直方向へと所定の停止位置まで回転可能であることを特徴とする引戸用引手。
【請求項４】
請求項１に於いて、引手本体の支持アーム及びグリップアームの枢着部分には、グリップアームが支持アームに対して単独で回転した時に、該グリップアームを所定の角度範囲内で停止させる係止手段が設けられていることを特徴とする引戸用引手。
【請求項５】
請求項４於いて、グリップアームが略鉛直状態に成った時、支持アームに内蔵された作動ピン、付勢バネを含む補助的な付勢手段により保持されることを特徴とする引戸用引手。
【請求項６】
引戸は、請求項１の構成をそのまま含み、開閉体は、引手本体の手前側に位置するように配置され、前記引手本体は、開閉体を全閉する際に邪魔にならないように取付け座の収納部に収納され、一方、開閉体を開いた際には、前記引手本体を手前側に引き出し得ることを特徴とする引戸。
【手続補正２】
【補正対象書類名】明細書
【補正対象項目名】全文
【補正方法】変更
【補正の内容】
【発明の詳細な説明】
【技術分野】
【０００１】
本発明は、建物の出入り口に配置された引戸用の引手及び引戸に関し、例えば室内側から内側引戸を開ける人を基準としてその手前側に開閉体が配置される引戸（内側引戸，外側引戸など）の戸先側の壁面に取付けられる引戸用引手及び引戸に関する。
【背景技術】
【０００２】
この種の引戸用の引手の一例として特許文献１が存在する。この特許文献１の図５乃至図７には、引き違い引戸の戸先側（閉じ側）の縦框内に把手を回転して収納する構成が開示されている。この特許文献１に記載の発明の目的は、引戸を全開する場合に於いて、引戸の引き違い面側に突出している前記引手が邪魔にならないように前記縦框の内部空間に把手を回転収納することを目的とする点で、本願発明の主たる目的（開閉体を全閉する際に引戸の引手本体が邪魔にならないと共に、必要な時にだけ引手本体を引き出して使用すること。）と相違する。また、把手の構造的についても、本願発明の引手本体とは、取付け箇所、作動態様、形態等が相違する。
【特許文献１】特開２００１−２１４６４４号公報
【発明の開示】
【発明が解決しようとする課題】
【０００３】
本発明の第１の目的は、開閉体を全閉する際に引戸の引手本体が邪魔にならない反面、開閉体を開いて引戸を開ける際には、引手本体を手前側に引き出して引戸を開けることができる引戸用引手を提案すること。第２の目的は、引手本体が収納部に垂直状態に収納されている初期位置に於いて、引戸等の振動により収納部の外方向に容易に回転しないようにする反面、引手本体を手前側に引き出した傾倒位置時に於いても、操作性を向上させるために戻り方向へ簡単に回転しないようにすること。第３の目的は、収納部の空間を有効利用することができるように引手本体用補助ロック機構を設けること。第４の目的は、引手本体を引き出した傾倒位置時、引手本体を操作した場合に於いて、引手本体が戻り方向へ回転するのを確実に防止すること。第５の目的は、引手本体のグリップアームを所定の角度（望ましくは、グリップアームが傾斜状の支持アームに対して略鉛直状態に折り曲がる所）まで折り曲げ回転させた上で、該グリップアームを用いてそのまま引戸を開けることができること。第６の目的は、支持アームに対してグリップアームを鉛直方向へ折り曲げた時、引手本体が取付け座側に回転せず、これにより引戸を開く際における引手本体の操作性を向上させることである。
【課題を解決するための手段】
【０００４】
本発明の引戸用引手は、開閉体が配置される引戸用引手に於いて、引戸用引手は、引戸の戸先側の内部に略嵌り込むように固定され、かつ、横向き凹所状の引手本体用収納部を有する取付け座と、この取付け座と少なくとも略面一になるように前記収納部に出し入れ自在に収納された縦長状の引手本体とから成り、引手本体の基端部は、前記収納部側の固定支軸に軸支されていると共に、該固定支軸の近傍に設けられ固定障害子に係止される係合長孔を有し、また引手本体は、前記収納部に垂直状態に収納されている初期位置並びに自由端部側から回転して前記固定障害子に係止された傾倒位置に於いて、該引手本体に内蔵され、かつ、前記固定障害子に圧接する補助的な付勢手段により保持されていることを特徴とする。
【０００５】
上記構成に於いて、引手本体は、基端部が固定軸に軸支された支持アームと、該支持アームの他端部に可動軸を介して軸支されたグリップアームとで構成され、引手本体を手前側に引き出した場合に於いて、引手本体のグリップアームは、鉛直方向へと所定の停止位置まで回転可能であることを特徴とする。
【０００６】
また、引手本体の基端部と収納部の内壁面との空間部分に引手本体用補助ロック機構を構成するロック片と該ロック片を付勢するバネ部材とを組込み、前記ロック片は、引手本体が引き出された傾倒位置の所で、引手本体が初期位置方向へ回転しないように前記バネ部材に付勢されて前記基端部の係合部に係合することを特徴とする。
【０００７】
さらに、引手本体の支持アーム及びグリップアームの枢着部分には、グリップアームが支持アームに対して単独で回転した時に、該グリップアームを所定の角度範囲内で停止させる係止手段が設けられている。加えて、グリップアームが略鉛直状態に成った時、補助的な付勢手段により保持されることを特徴とする。
【０００８】
また、本発明の引戸は、請求項１の構成をそのまま含み、開閉体は、引手本体の手前側に位置するように配置され、前記引手本体は、開閉体を全閉する際に邪魔にならないように取付け座の収納部に収納され、一方、開閉体を開いた際には、前記引手本体を手前側に引き出し得ることを特徴とする。ここで「開閉体」とは、網戸、シャッターなどをいう。
【発明の効果】
【０００９】
（１）請求項１、請求項６に記載の発明は、例えば室内側から内側の引戸を開ける人を基準としてその手前側に網戸、シャッターなどの開閉体が配置される引戸用引手及び引戸に於いて、開閉体を全閉する際に引手本体が邪魔にならない反面、開閉体を開いて引戸を開ける際には、引手本体を手前側に引き出して引戸を開けることができる。
（２）また、請求項１、請求項６に記載の発明は、引手本体が収納部に垂直状態に収納されている初期位置に於いて、引戸等の振動により収納部の外方向に容易に回転しない反面、引手本体を手前側に引き出した傾倒位置時に於いても、戻り方向へ簡単に回転しない。したがって、開閉体に対する障害とならないと共に、操作性を向上させることができる。
（３）請求項２に記載の発明は、引手本体用補助ロック機構を収納部の空間を有効利用して組み込むことができると共に、該引手本体用補助ロック機構により、引手本体を引き出した傾倒位置時、引手本体を操作した場合に於いて、引手本体が戻り方向へ回転するのを確実に防止することができる。
（４）請求項３に記載の発明は、引手本体を手前側に引き出した場合に於いて、引手本体の支持アームに対してグリップアームを鉛直方向へと折り曲げた状態で引手本体を操作することができる。したがって、操作時に引手本体が邪魔にならない。
（５）請求項４に記載の発明は、引手本体を手前側に引き出した場合に於いて、支持アームに対してグリップアームを鉛直方向へと折り曲げるように所定量回転した時、該グリップアームを所定の位置に止めるだけではなく、さらに、グリップアームの戻り方向への回転も阻止するので、引戸の開閉時における引手本体の操作性がより一層向上する。
【発明を実施するための最良の形態】
【００１０】
以下、図１乃至図１２に示す本発明を実施するための最良の形態により説明する。
【００１１】
（１）内側取付け座…固定部材
１は引手の外観形状を有する内側の取付け座で、この取付け座１は、引戸ａの戸先側（閉じ側）の縦框に固定的に取付けられる。本実施例では、内側取付け座１は引戸ａの戸先側の内部ｃに略嵌り込むように固定されている（図１０参照）。なお、取付け座１は縦框以外の戸先側（閉じ側）の内部に固定しても良い。
【００１２】
しかして、２は取付け座１の縦長の長板状部分で、この長板状部分２の上下の端部には、図示しない固着具用の小貫通孔４，４がそれぞれ形成されている。５は取付け座１の縦長ケース状引手本体用収納部で、この引手本体用収納部５は、図４で示すように断面横向き凹所状に形成されている。この断面横向き凹所を形成する取付け座１の開口６の大きさや幅は、引手本体１１の形態との関係を考慮し、例えば内側引手１１を構成するグリップアーム１１ｂの細幅部分に指を引っ掛けて（本実施例）、或いは括れ状の部分を摘んで引手本体用収納部５から所定量引き出すことができるように適宜に形成されている。
【００１３】
本実施例では、開口６は、図１で示すように、長板状部分２の上端部から下端部に至るまで形成され、一方、内側引手（引手本体）１１は、取付け座１側の下方の固定軸９に軸支された支持アーム１１ａの基端部（図面では下端部）側からグリップアーム１１ｂの細幅の端部（図面では上端部）に至るまで真っ直ぐに延伸し、該グリップアーム１１ｂの端部は、収納部５の凹所内壁の上方傾斜状内壁面７ａ付近に至っている。
【００１４】
ところで、取付け座１の引手本体用収納部５の下端部には、対向壁或いは断面コ字型状の軸受け部分８が設けられている。この軸受け部分８は、図示しない複数個の固着具を介して収納部５に適宜に固定される。そして、該軸受け部分８には、前述した引手本体１１の支持アーム１１ａの基端部を軸支する固定軸（横軸）９が横設軸架されていると共に、該固定軸（横軸）９の近傍（図面では上方）に引手本体の基端部（本実施例では、支持アーム１１ａの基端部）にやや弧状に形成された係合長孔１３に係合する固定障害子（横棒）１０が横設されている。固定障害子（横棒）１０は前記係合長孔１３の左右の弧状内面と係合して支持アーム１１ａの回転に対するストッパー機能の役割を果たす。
【００１５】
取付け座１は、引戸ａの内壁面ｂから縦框内部ｃに略嵌り込んでいる（図１０）。好ましくは、引手本体用収納部５は、縦框の内部ｃに完全に入り込み、フランジ状の長板状部分２は、引戸ａの内壁面と略面一状態（発明の目的を達成する限りに於いて、多少突出する場合も含む。）となる。
【００１６】
（２）内側引手…可動部材
１１は片手で握ることができる大きさの内側の引手本体で、この引手本体１１は全体として縦長状に形成されている。本実施例では、引手本体１１は、下方の基端部が収納部５側の固定軸９に軸支された支持アーム１１ａと、該支持アームの他端部（枢着部分）に可動軸１８を介して軸支されたグリップアーム１１ｂとで構成されている。  
【００１７】
ところで、引手本体１１の形態については、取付け座１の引手本体用収納部５に収納することができるように、アームの本数、その長さ、大きさ、形状、肉厚、内部構造等が適宜に設定されている。もちろん、引手本体１１は、縦長状の「１本のアーム」に形成しても良いし、本実施例のように折り曲げ可能な「２本のアーム」で構成しても良い。また、外側引手であっても良い。引手本体１１は、取付け座１と少なくとも略面一（発明の目的を達成する限りに於いて、多少突出する場合も含む。）になるように前記引手本体用収納部５に出し入れ自在に収納されている。
【００１８】
本実施例の引手本体１１は、引手本体用収納部５に収納されている時は、鉛直（垂直）状態であり、一方、図７で示すようにグリップアーム１１ｂを介して手前側に傾斜状態に引き出した場合には、さらに、グリップアーム１１ｂを支持アーム１１ａに対して鉛直方向へと所定位置まで折り曲げるように回転可能である。
【００１９】
（３）引手本体１１の具体的構成
ここで、図４，図５を参照にして引手本体１１の構成を説明する。まず、引手本体１１は、アール状の基端部（図では下端部）から門型状の枢着部分（図では上端部）まで幅広に形成された杆状支持アーム１１ａを有している。しかして、基端部の一番下位には、固定軸９用の軸孔１２が横方向に形成され、この軸孔１２の直ぐ上方近傍に固定障害子１０用のやや弧状係合長孔１３が横方向に形成されている。
【００２０】
また支持アーム１１ａには、該係合長孔１３に対して鉛直方向に連通する垂直案内長孔１４が形成されている。この垂直案内長孔１４は、後述する補助的な付勢手段２１が内蔵される。
【００２１】
また、支持アーム１１ａの他端部は門型状に形成され、前記垂直案内長孔１４の上部側と連通する嵌合切欠部分１５を有している。また、門型状の対向端部には、嵌合切欠部分１５と連通し、かつ、グリップアーム１１ｂの枢着部分（図では下端部）を軸支する可動軸（横軸）１８用の軸孔１６，１６が形成されている。
【００２２】
次に、引手本体１１は支持アーム１１ａの他端部に可動軸１８を介して軸支されたグリップアーム１１ｂを有している。しかして、下向き弧状面を有する枢着部分（図では下端部）の中央部分には、支持アーム１１ａの前述した嵌合切欠部分１６に入り込む円盤状の軸貫通部分３１が突設されている。
【００２３】
軸貫通部分３１は可動軸１８用の軸孔３２を有している。したがって、グリップアーム１１ｂは軸孔１６，３２，１６を貫通する可動軸１８を介して支持アーム１１ａに回動自在に連結されている。
【００２４】
（４）引手本体１１の係止手段１７
本実施例の引手本体１１は、例えばグリップアーム１１ｂを鉛直（垂直）状態に折り曲げ回転した時には、支持アーム１１ａ及びグリップアーム１１ｂの枢着部分に形成した係止手段１７により停止させることができる。係止手段１７は、例えば図５，図９に示すように、支持アーム１１ａの枢着部分の嵌合切欠部分１５側の一側内面に略扇形状に切り欠かれた複数個の被係合部（切欠受け止め面）１７ａ，１７ｂと、一方、グリップアーム１１ｂの枢着部分である円盤状軸貫通部分３１の内壁面に小扇形状に突設された小係合部１７ｃとから成り、グリップアーム１１ｂが支持アーム１１ａに対して単独で回転した時に、該グリップアーム１１ｂを所定の角度範囲内で停止させる（図９）。
【００２５】
（５）引手本体１１の補助的な付勢手段２１
また本実施例の引手本体１１は、補助的な付勢手段２１を有している。補助的付勢手段２１は、支持アーム１１ａの垂直案内長孔１４に内蔵され、かつ、固定障害子１０に圧接して引手本体１１が収納部５に垂直状態に収納されている初期位置に於いて、引戸等の振動により収納部５の外方向に容易に回転しないように保持する反面、引手本体１１を手前側に引き出した傾倒位置時に於いても、戻り方向へ簡単に回転しないにように保持する機能を有している（図７，図８）。したがって、引手本体１１の操作性を向上させることができる。
【００２６】
しかして、補助的付勢手段２１は、突出端部が円錐形の複数個の作動ピン２２，２３と、これらの作動ピン２２，２３の間に介在し、かつ、これらの作動ピン２２，２３を常時突出方向に付勢する付勢バネ２４とから成る。図７又は図８で示すように、前記下方の作動ピン２２の突出端部は、引手本体１１が収納部５に垂直状態に収納されている初期位置では右側に位置する固定障害子１０の外壁面に圧接し、一方、引手本体１１を手前側に引き出した傾倒位置時では左側に位置する固定障害子１０の外壁面に圧接する。
【００２７】
本実施例の固定障害子１０は、引手本体１１が前後方向に所定量回転した時に、支持アーム１１ａの係合長孔１３の左右の弧状内面のいずれかに当たるから、付勢バネ２４のバネ力が強ければ強いほど作動ピン２２が固定障害子１０に強く圧接し、その結果、引手本体１１は収納部５から外方向へ、又は引き出した傾倒位置の所から収納部５方向へ容易に回転しない。
【００２８】
ここで、本発明に直接関係はないが、クリック機構についても付言する。本実施例の補助的付勢手段２１を構成する前記上方の作動ピン２３の突出端部は、図８で示すように、グリップアーム１１ｂの円盤状軸貫通部分３１の外周面に離間して形成された複数個のクリック用小係合溝１９，１９に選択的に係合可能である。
【００２９】
したがって、引手本体１１が「１本のアーム」に形成されている場合はもちろんのこと、本実施例のように折り曲げ可能な「２本のアーム」で構成されている実施例の場合であっても、引手本体１１を所定位置（傾倒位置、初期位置）に回転した場合ないし引手本体１１のグリップアーム１１ｂが支持アーム１１ａに対して略鉛直状態に成った場合（図８の右図）に補助的な付勢手段２１により保持される。
【００３０】
後者の場合には、前述した係止手段１７を介して鈍角状態に形態が保持されるのみならず、補助的付勢手段２１の保持機能も作用する。なお、グリップアーム１１ｂは、その一端部側も含めて細幅部分となっている（図１）。
【００３１】
（６）引手本体用補助ロック機構３５
さらに、本実施例の引手本体１１は、引手本体用補助ロック機構３５を備えている。補助ロック機構３５は、引手本体１１の基端部と収納部５の下方内壁面７ｂとの空間部分に組み込まれている。しかして、補助ロック機構３５は、取付け座１側の軸受け部分８に横設軸架された横軸３６に内端部側が軸支されたロック片３７と、前記横軸３６に中央部が巻装されたロック片用バネ部材３８とから成り、前記ロック片３７は、引手本体１１が引き出された傾倒位置の所（図７の右図）で、引手本体１１が初期位置方向へ回転しないように前記バネ部材３８に付勢されてグリップアーム１１ｂの基端部に突出形成された係合部（係合爪片）２０に係合する。
【００３２】
本実施例の補助ロック機構３５のロック片３７は、図７の中間図で示すように、グリップアーム１１ｂが固定軸９を支点にして矢印で示す外方向に所定量回転し、かつ、所定の傾倒位置にて固定障害子１０に係止されると、バネ部材３８のバネ力により自動的にロック片３７のケース状外端部３９の上壁に設けられた被係合部分（係合板、係合溝、切欠、突起など）４０に係合する。したがって、引手本体１１を初期位置へと戻したい場合には、ロック片３７の外端部３９の上壁を指で押し下げ、前記係合状態を解消させる必要がある。
【００３３】
（７）作用
上記構成に於いて、ロック機構３５は、本発明の第１の目的との関係では、本質的要件ではない。本発明のロック機構３５は、望ましくは、引手本体１１を手前側に引き出した場合に於いて、さらに、グリップアーム１１ｂを支持アーム１１ａに対して鉛直方向へと所定位置まで回転し、かつ、グリップアーム１１ｂを用いて引戸を開く場合に該グリップアーム１１ｂが戻りの方向へ回転しないようにロックしたい場合に用いられる。
【００３４】
もちろん、手本体１１を手前側に引き出した場合に於いて、引手本体１１が「ストレート」の傾斜状態のままであっても、引戸ａを開くために引手本体１１をそのまま用いることは可能である。
【００３５】
しかしながら、引手本体１１が収納部５から傾斜状態に出たままでグリップアーム１１ｂを握って力を入れた場合、グリップアーム１１ｂが操作する人の方に突出していることから、経験則上、グリップアーム１１ｂが邪魔に成って操作し難い。また、グリップアーム１１ｂが前後方向に動く場合にも操作し難いものである。
【００３６】
そこで、図７で示すようにグリップアーム１１ｂが所定量回転して固定障害子１０に係止された所で、第１次的には、引手本体１１に内蔵された補助的な付勢手段２１により、また実施例如何によっては、第２次的に「ロック機構３５」の構成をさらに本発明の構成要件に限定し、自動的にロック片３７をその基端部に係合させる。ロック機構３５を本発明の限定要件とした場合には、グリップアーム１１ｂが収納部５側に確実に戻らないようにすることができる。
【００３７】
また、本実施例の引手本体１１は、基端部が固定軸９に軸支された支持アーム１１ａと、該支持アームの他端部に可動軸１８を介して軸支されたグリップアーム１１ｂとで構成されているが、このような実施例に於いて、例えば引手本体１１を手前側に引き出し、かつ、図９の右図で示すようにグリップアーム１１ｂを支持アーム１１ａに対して垂直方向へと回転した時に、両アーム１１ａ，１１ｂの枢着部分に形成された係止手段１７は、グリップアーム１１ｂを所定の角度の所（グリップアーム１１ｂが略鉛直状態の所）で停止させる。
【００３８】
なお、引手本体１１を収納部５に戻す時は、グリップアーム１１ｂを手前側に引いて傾倒位置にし、その後にロック片３７を指でバネ部材３８のバネ力に抗して押し下げてロックを解消し、引手本体１１を収納部５に押し込む。この時、付勢手段２１の作動ピン２２は固定障害子１０を乗り越える。
【００３９】
（８）環境状態の使用例
例えば図１，図４は、引手本体１１が取付け座１の収納部５に完全に収納されている状態を示し、一方、例えば図２は、引手本体１１を、グリップアーム１１ｂを介して片手で引き出し、かつ、鉛直状態まで折り曲げた状態を示す。
【００４０】
本発明の実施例では、引手本体１１を利用しない場合には、引手本体用収納部５の凹所内に引手本体１１を略面一状に収めておく反面、必要な時は、引手本体１１を収納部５から引き出して利用する。そこで、図１０乃至図１２も参照にして環境状態の使用例を説明する。
【００４１】
図１０は、建物の出入り口のサッシ型戸枠４１内に配置された引き違い戸４２の内側引戸ａの手前側（ここでは「室内４３」側を意味する。）に開閉体４４が開閉自在に配置されている場合に於いて、前記内側の引戸ａの戸先側（閉じ側）に本発明の引戸用引手Ｘを装着した一例を示している。この場合引手本体１１は取付け座１の収納部５に略収納されているので、邪魔にならない。
【００４２】
一方、図１１は、開閉体４４を矢印Ｂ方向に移動させ、その後に引手本体１１を、グリップアーム１１ｂを介して手前側に引き出し、かつ、グリップアーム１１ｂを鉛直方向へ折り曲げ回転し、所定の角度にてグリップアーム１１ｂが付勢手段２１，補助ロック機構等により係止されたロックした状態を示す。この場合、室内側に操作する人がいて、室内側から開閉体４４を矢印Ｂ方向に開いたことを前提としている。したがって、開閉体４４は引戸ａの手前側に位置している。引戸ａを開ける時は、望ましくは引手本体１１が、例えば図２の状態であり、グリップアーム１１ｂを握って引戸ａを開ける。図１２は引き出した引手本体１１をそのまま利用して引戸ａを所望量開いた場合の概略説明図である。
【実施例】
【００４３】
本発明の本質的構成は、開閉体が全閉することができるように「取付け座」を引戸ａの戸先側の内部ｃに略嵌り込むように固定すると共に、「引手本体」を取付け座の引手本体用収納部に、該取付け座と少なくとも略面一になるように出し入れ自在に収納できることであると共に、引手本体が収納部に垂直状態に収納されている初期位置に於いて、引戸等の振動により収納部の外方向に容易に回転しないようにすること、及び引手本体を手前側に引き出した傾倒位置時に於いても、戻り方向へ簡単に回転しないようにすることである。したがって、その余の新規な構成（従属項）は、限定要件として予備されている。
【産業上の利用可能性】
【００４４】
本発明は、主に建具の業界で利用される。
【図面の簡単な説明】
【００４５】
図１乃至図１２は本発明の最良の実施例を示す各説明図。
【図１】正面視からの説明図。
【図２】引手本体を引き出し状態の概略説明図（さらに、引手本体を折り曲げた状態も含む）。
【図３】図１を基準とした主要部の内部構造を示す概略断面図。
【図４】収納状態を基準とした主要部の内部構造を示す概略断面図。
【図５】要部（引手本体の構造、補助的な付勢手段、補助ロック機構の構成部材等）の斜視からの説明図。
【図６】要部（引手本体，補助的な付勢手段等）の説明図。
【図７】引手本体と補助的な付勢手段、補助ロック機構等との関係を示す説明図。
【図８】引手本体の構造、引手本体と補助的な付勢手段、補助ロック機構等との関係を示す説明図。
【図９】引手本体の要部（係止手段）の説明図。
【図１０】引き違い戸の使用例に於いて、開閉体を全閉した場合の概略説明図。
【図１１】図１０の状態に於いて、開閉体を開き、引手本体を手前側に引き出し、そのグリップアームを所定の角度まで回転させた場合の概略説明図。
【図１２】図１１の状態に於いて、引手本体を利用して引戸を開いた場合の概略説明図。
【符号の説明】
【００４６】
Ｘ…引戸用引手、ａ…引戸、1…取付け座、２…長板状部分、４…小貫通孔、５…引手本体用収納部、６…開口、８…軸受け部分、７ｂ…内壁面、９…固定軸、１０…固定障害子、１１…引手本体、１１ａ…支持アーム、１１ｂ…グリップアーム、１２，１６，３２…軸孔、１３…係合長孔、１４…垂直案内長孔、１５…嵌合切欠部分、１６…、１６ａ，１６ｂ…グリップアームの内壁面、１７…係止手段、１８…可動軸、１９…小係合溝、２０…係合部、２１…補助的な付勢手段、２２，２３…作動ピン、２４…付勢バネ、３１…軸貫通部分、３５…補助ロック機構、３６…横軸、３７…ロック片、３８…バネ部材、４０…被係合部分、４２…引き違い戸、４３…室内、４４…開閉体。